(57)【要約】【課題】ソフトダーツボード６０と同一の感覚で投的が出来、チップの消耗を抑え、尚且つ安価で、投的時に発生する打撃音を著しく減少させ自宅など騒音対策が乏しい練習環境に適した特性を有する新規構造を持つ練習用のダーツボードシステムを提供する事を本発明の目的とする。【解決手段】サイザル麻若しくはそれに順ずる素材を使用しスパイダーネットを廃止したダーツボード２０に、ソフトダーツボード６０と同一寸法の得点部を配し、ダーツボードサラウンド３０に１番から２０番までの番号を明記した事を特徴とするダーツボードシステム。【選択図】図１
2010220996.tif 000002
【特許請求の範囲】
【請求項１】
ダーツボード２０に金属製及び樹脂製若しくはそれに順ずる素材を使用したスパイダーネットの一切を設けず、各部の必要に応じて表面に着色し区分することを特徴とするダーツボードシステム１０。
【請求項２】
ダーツボード２０はサイザル麻を圧縮して作られた円盤状の板若しくはゴムやスポンジなどそれに順ずる消音素材で作られた板からなることを特徴とする請求項１に記載のダーツボードシステム１０。
【請求項３】
樹脂製チップを有するダーツを使用できることを特徴とする請求項１または２記載のダーツボードシステム１０。
【請求項４】
ダーツボード２０に、１箇所のインナーブル部２１、１箇所のアウターブル部２２、２０箇所のインナーシングル部２３、２０箇所のトリプル部２４、２０箇所のアウターシングル部２５、２０箇所のダブル部２６を配し、前記計８２箇所を得点部とし、８２箇所の得点部と無得点部２７を有することを特徴とする請求項１または２記載のダーツボードシステム１０。
【請求項５】
ダーツボード２０のダブル部外周を直径１５．５ｉｎｃｈとすることを特徴とする請求項１または２記載のダーツボードシステム１０。
【請求項６】
ダーツボード２０に１番から２０番までの各番号を明記することなく、ゴム若しくはそれに順ずる素材を用いたダーツボード２０の外周部直径と同一の内部直径をもつ幅１００ｍｍから１５０ｍｍ程度のリング状の外枠ダーツボードサラウンド３０をダーツボード２０に取り付け、ダーツボードサラウンド３０に各番号を印刷若しくはシール貼付けにより明記することを特徴とする請求項１または２記載のダーツボードシステム１０。
【発明の詳細な説明】
【技術分野】
【０００１】
本発明は、主にダーツで使用される標的に関する。
【背景技術】
【０００２】
図４を使って説明する。図４はダーツの標的（以下ダーツボードと言う）４０である。ダーツボード４０とは、ダーツボード４０の中心部にインナーブル部４１を配し、インナーブル部４１の外周部にアウターブル部４２を配し、アウターブル部４２から放射状に１番から２０番まで均等区分し、区分された各番にはアウターブル部から順にインナーシングル部４３・トリプル部４４・アウターシングル部４５・ダブル部４６を配し、前記計８２箇所を得点部とし、ダブル部４６の外周部以降に無得点部４７を配し、各得点部及び無得点部の境界線を区切る区切り枠（以下スパイダーネットと言う）４８から構成される。ダーツの矢（以下ダーツと言う）を投的して競う競技の標的に用いられる。
【０００３】
ダーツボード４０の各番号は、１番から２０番までの番号を時計回りに１番・１８番・４番・１３番・６番・１０番・１５番・２番・１７番・３番・１９番・７番・１６番・８番・１１番・１４番・９番・１２番・５番・２０番の順に配され、各番号のダブル部脇の無得点部に番号を明記される。
【０００４】
ダーツボード４０はインナーブル部４１の中心を床面から１７３０ｍｍの高さに合わせ、２０番のダブル部４６を最上部に向け床面から垂直に設置される。
【０００５】
ダーツボードは大別して、ハードダーツ競技用ダーツボード（以下ハードダーツボードと言う）とソフトダーツ競技用ダーツボード（以下ソフトダーツボードと言う）に分かれる。
【０００６】
図５を使って説明する。図５はハードダーツボード５０である。ハードダーツボード５０とは、サイザル麻を圧縮して作られた円盤状の板に、得点部及び無得点部を有し、細い針金製若しくは厚みの薄い金属板製のスパイダーネット（以下金属製スパイダーネットと言う）５８から構成される（例えば、非特許文献1参照）。
【０００７】
ハードダーツボードの規格は国際競技規定にて定められている。ハードダーツボード５０の各部の寸法は、ハードダーツボード５０の中心部に直径５０ａ＝１２．７ｍｍのインナーブル部５１、インナーブル部５１の外周部から同心円状に直径５０ｂ＝３１．８ｍｍまでをアウターブル部５２、アウターブル部５２の外周部から同心円状に半径５０ｃ＝９９ｍｍまでをインナーシングル部５３、インナーシングル部５３の外周部から同心円状に半径５０ｄ＝１０７ｍｍまでをトリプル部５４、トリプル部５４の外周部から同心円状に半径５０ｅ＝１６２ｍｍまでをアウターシングル部５５、アウターシングル部５５の外周部から同心円状に半径５０ｆ＝１７０ｍｍまでをダブル部５６、ダブル部５６の外周部から同心円状に半径５０ｇ＝２２６．５ｍｍを無得点部５７、無得点部５７の外周部がハードダーツボード外周部５９と同一になり、アウターブル部５２の外周部からダブル部５６の外周部までをインナーブル部５１の中心を支点に角度１８度毎に２０分割する。
【０００８】
ハードダーツでは、金属製の矢先部を有するダーツをハードダーツボードに投的し、投的した際の打撃音は非常に小さい。
【０００９】
次に図６を使って説明する。図６はソフトダーツボード６０である。ソフトダーツボード６０とは、樹脂製で複数の細孔が施された標的を使用した得点部と樹脂製の無得点部６７を有し、樹脂製のスパイダーネット６８（以下樹脂製スパイダーネットと言う）から構成される（例えば、特許文献１参照）。
【００１０】
ソフトダーツボード６０の規格は国際競技規定こそないものの、競技に使用される一般的な規格はおおよそ次に示す通りである。ソフトダーツボード６０の各部の寸法は、ソフトダーツボード６０の中心部に直径６０ａ＝１６ｍｍのインナーブル部６１、インナーブル部６１の外周部から同心円状に直径６０ｂ＝４４ｍｍまでをアウターブル部６２、アウターブル部６２の外周部から同心円状に半径６０ｃ＝１０５ｍｍまでをインナーシングル部６３、インナーシングル部６３の外周部から同心円状に半径６０ｄ＝１２４ｍｍまでをトリプル部６４、トリプル部６４の外周部から同心円状に半径６０ｅ＝１７７ｍｍまでをアウターシングル部６５、アウターシングル部６５の外周部から同心円状に半径６０ｆ＝１９７ｍｍまでをダブル部６６、ダブル部６６の外周部以降を無得点部６７、アウターブル部６２の外周部からダブル部６６の外周部までをインナーブル部６１の中心を支点に角度１８度毎に２０分割する。
【００１１】
ソフトダーツでは、樹脂製の矢先部（以下チップと言う）を有するダーツをソフトダーツボードに投的し、投的した際の打撃音は非常に大きい。
【００１２】
この様にハードダーツボード５０とソフトダーツボード６０は、構成素材や各部寸法などを除いて非常に似通った構造を持つ。
【００１３】
そしてソフトダーツの普及と共にソフトダーツの競技人口が増加している。割合としては、ハードダーツの競技者よりソフトダーツの競技者が多い現状である。
【先行技術文献】
【特許文献】
【００１４】
【特許文献１】特開昭６０−１２２８９８号
【非特許文献】
【００１５】
【非特許文献１】一般社団法人Ｊａｐａｎ  Ｓｐｏｒｔｓ  Ｆｅｄｅｒａｔｉｏｎ  ｏｆ  Ｄａｒｔｓ、［ＪＳＦＤ公式サイト］、［平成２１年３月１４日検索］、インターネット<http://jsfd.info>
【発明の概要】
【発明が解決しようとする課題】
【００１６】
さてダーツはスポーツであるから、上達する為には練習が不可欠である。その為、上達指向の競技者は自宅などでの練習も不可欠になる。しかしながらソフトダーツの競技で使用するソフトダーツボード６０若しくは同一の寸法をもつソフトダーツボードは、その構造物の大部分に樹脂製部品を使用している為、チップを有するダーツを投的した際の打撃音が非常に大きい。
【００１７】
よって練習する自宅などが防音効果の乏しいの環境にあるソフトダーツの練習者は、ソフトダーツボード６０の代用品として、より打撃音の小さいハードダーツボード５０の使用を余儀なくされる場合も少なくない。
【００１８】
またソフトダーツボード６０は、現状では非常に高価なものが多く、代用品として比較的安価であるハードダーツボード５０を使用して練習している練習者も多い。
【００１９】
しかしながらハードダーツボード５０とソフトダーツボード６０ではそれぞれの寸法が異なる為に、練習で狙わなければならない各部、例えるなら２０番のダブル部や１９番のトリプル部などへの狙い方が変わってしまう上に、命中率にも著しい変化が現れる。
【００２０】
しかも、ハードダーツボード５０に対して、チップを有するダーツで練習することは可能だが、金属製スパイダーネット５８にチップが接触した場合はチップの消耗が著しく激しくなり、チップを頻繁に交換しなければならない為、練習者のコストが増加する。
【００２１】
コスト増加を防ぐためにチップを有するダーツのチップを取り外し、金属製の針を有する部品（以下コンバージョンポイントと言う）に交換することで、チップの消耗を防ぐことは出来るが、樹脂製である軽いチップから金属製である重いコンバージョンポイントに交換する為、ダーツの重量や重心に変化が伴い、著しく使用感が損なわれる。
【００２２】
またコンバージョンポイントを使用した場合は、金属製スパイダーネットに弾かれてダーツが落下し、床などの室内を損傷してしまうこともある。
【００２３】
そこで本発明は、ソフトダーツボード６０と同一の感覚で投的が出来、チップの消耗を抑え、尚且つ安価で、投的時に発生する打撃音を著しく減少させ自宅など騒音対策が乏しい練習環境に適した特性を有する新規構造を持つ練習用のダーツボードシステムを提供する事を目的とする。
【課題を解決するための手段】
【００２４】
本発明は、ダーツボード２０に金属製及び樹脂製若しくはそれに順ずる素材を使用したスパイダーネットの一切を設けず、各部の必要に応じて表面に着色し区分することを特徴とするダーツボードシステム１０である。
【００２５】
ダーツボード２０はサイザル麻を圧縮して作られた円盤状の板若しくはゴムやスポンジなどそれに順ずる消音素材で作られた板からなることを特徴とするダーツボードシステム１０である。
【００２６】
樹脂製であるチップを有するダーツを使用できることを特徴とするダーツボードシステム１０である。
【００２７】
ダーツボード２０に、１箇所のインナーブル部２１、１箇所のアウターブル部２２、２０箇所のインナーシングル部２３、２０箇所のトリプル部２４、２０箇所のアウターシングル部２５、２０箇所のダブル部２６を配し、前記計８２箇所を得点部とし、８２箇所の得点部と無得点部２７を有することを特徴とするダーツボードシステム１０である。
【００２８】
ダーツボード２０のダブル部外周を直径１５．５ｉｎｃｈとすることを特徴とするダーツボードシステム１０である。
【００２９】
ダーツボード２０に１番から２０番までの各番号を明記することなく、ゴム若しくはそれに順ずる素材を用いたダーツボード２０の外周部直径と同一の内部直径をもつ幅１００ｍｍから１５０ｍｍ程度のリング状の外枠ダーツボードサラウンド３０をダーツボード２０に取り付け、ダーツボードサラウンド３０に各番号を印刷若しくはシール貼付けにより明記することを特徴とするダーツボードシステム１０である。
【発明の効果】
【００３０】
したがって、本発明のダーツボードシステム１０を使用することによって、練習者は投的時に発生する騒音から開放される。しかも得点部の寸法が通常の試合やゲームと同一規格であり、チップを損傷することがないことからチップを使用でき、重いコンバージョンポイントを使用して感覚の変化を起こすことが無く、通常と同一の投的が実現出来る。また、製造コスト削減が実現出来る事で、より安価な本発明のダーツボードシステム１０を提供する事が出来る。
【図面の簡単な説明】
【００３１】
【図１】本発明の実施例のダーツボードシステム１０を示す図である。
【図２】本発明の一部であるダーツボード２０を示す図である。
【図３】本発明の一部であるダーツボードサラウンド３０を示す図である。
【図４】従来例のダーツボード４０を示す図である。
【図５】従来例のハードダーツボード５０を示す図である。
【図６】従来例のソフトダーツボード６０を示す図である。
【発明を実施するための形態】
【００３２】
本発明の実施する為の最良の形態を、実施例として以下に説明する。
【実施例】
【００３３】
図１から図３は本発明の実施例である。
【００３４】
図１は本発明のダーツボードシステム１０である。図１を用いてダーツボードシステム１０の構成を説明する。ダーツボードシステム１０は、ダーツボード２０とダーツボードサラウンド３０からなり、ダーツボード２０にダーツボードサラウンド３０を組み付け合わせた構成になっている。
【００３５】
図２はダーツボード２０である。図２を用いてダーツボード２０の構成を説明する。ダーツボード２０は、ダーツボード２０の中心部にインナーブル部２１を配し、インナーブル部２１の外周部にアウターブル部２２を配し、アウターブル部２２から放射状に１番から２０番まで均等区分し、区分された各番にはアウターブル部２２から順にインナーシングル部２３・トリプル部２４・アウターシングル部２５・ダブル部２６を配し、ダブル部２６の外周部以降に無得点部２７を配し、計８２箇所の得点部と1箇所の無得点部２７から構成される。
【００３６】
ダーツボード２０は、ハードダーツボード５０と同一の圧縮用金型から製作されたハードダーツボード５０と同一外形を有するサイザル麻を圧縮して作られた円盤状の板を使用する。
【００３７】
ダーツボード２０の各部寸法を例えとして示す。ダーツボード２０の中心部に、直径２０ａ＝１６ｍｍのインナーブル部２１、インナーブル部２１の外周部から同心円状に直径２０ｂ＝４４ｍｍまでをアウターブル部２２、アウターブル部２２の外周部から同心円状に半径２０ｃ＝１０５ｍｍまでをインナーシングル部２３、インナーシングル部２３の外周部から同心円状に半径２０ｄ＝１２４ｍｍまでをトリプル部２４、トリプル部２４の外周部から同心円状に半径２０ｅ＝１７７ｍｍまでをアウターシングル部２５、アウターシングル部２５の外周部から同心円状に半径２０ｆ＝１９７ｍｍ約７．７５ｉｎｃｈまでをダブル部２６、ダブル部２６の外周部から同心円状に半径２０ｇ＝２２６．５ｍｍを無得点部２７、無得点部２７の外周部がダーツボード２０の外周部２８と同一となり、アウターブル部２２の外周部からダブル部２６の外周部までをインナーブル部２１の中心を支点に角度１８度毎に２０分割する。
【００３８】
ダーツボード２０の８２箇所の得点部及び無得点部２７を各部が明確に認識出来るよう色分けを施す。
【００３９】
ダーツボード２０は練習用に限定している為、ダーツボード２０の各部の区分は色分けのみとし、競技に必要なハードダーツボード５０に施してある金属製スパイダーネット５８若しくはそれに順ずる素材のスパイダーネットの一切を施さない。
【００４０】
図３はダーツボードサラウンド３０である。図３を用いてダーツボードサラウンド３０の構成を説明する。ダーツボードサラウンド３０は、ゴム若しくはそれに順ずる素材を用いた内部直径３０ａ＝４５３ｍｍ・幅３０ｂ＝１５０ｍｍのリング状の構成である。ダーツボード２０に組み付け合わせる外枠にあたり、ダーツボード２０の各番号に値する番号を明記する。
【００４１】
ダーツボードサラウンド３０に、１番から２０番までの番号を時計回りに１番・１８番・４番・１３番・６番・１０番・１５番・２番・１７番・３番・１９番・７番・１６番・８番・１１番・１４番・９番・１２番・５番・２０番の順に配し、最上部に２０番を配する。
【００４２】
ダーツボードサラウンド３０に明記する各番号は印刷若しくはシール貼付けにより明記する。
【００４３】
次に従来例と本発明を比較説明する。
【００４４】
図５と図２を用いて比較説明する。図５のハードダーツボード５０及び図２のダーツボード２０は同一外形である。素材も同一のサイザル麻を使用している為、ハードダーツボード５０と同一金型を使用でき新たにダーツボード２０の為に金型を起こす必要が無く、製造コスト削減が実現できる。
【００４５】
図５のハードダーツボード５０に施されている金属製スパイダーネット５８は図２のダーツボード２０には施されていない為、スパイダーネットでチップを損傷することが無く、投的したダーツが弾かれて落下することも無い。しかも構成部品及び製造工程が減る為、製造コスト削減が実現できる。
【００４６】
図６と図２を用いて比較説明する。図６のソフトダーツボード６０及び図２のダーツボード２０のそれぞれ８２箇所ある各得点部の寸法は同一であるから、競技者は同一の感覚でダーツを投的できる。しかし図６のソフトダーツボード６０を構成する部品の素材は樹脂製である為、打撃音が非常に大きいことに対し、図２のダーツボード２０の素材はサイザル麻である為、打撃音は非常に小さい。
【００４７】
図６と図１を用いて比較説明する。図６のソフトダーツボード６０の無得点部６７と図１のダーツボードシステム１０のダーツボードサラウンド３０は、得点表示の他に得点部に刺さらなかったダーツから壁面などを保護する目的をもつが、傷みが激しくなり交換を余儀なくされた場合、図６のソフトダーツボード６０の無得点部６７はソフトダーツボード６０の本体と一体形成の場合が多く交換が著しく難しいことに対し、図１のダーツボードシステム１０のダーツボードサラウンド３０は単体で取り外しが可能な為交換が容易である。
【００４８】
したがって、上記のように本発明のダーツボードシステム１０を使用することによって、練習者は投的時に発生する騒音から開放される。しかも得点部の寸法が通常の試合やゲームと同一規格であり、チップを損傷することがないことからチップを使用でき、重いコンバージョンポイントを使用して感覚の変化を起こすことが無く、通常と同一の投的が実現出来る。また、製造コスト削減が実現出来る事で、より安価な本発明のダーツボードシステム１０を提供する事が出来る。
【符号の説明】
【００４９】
１０    ダーツボードシステム
２０    ダーツボード
２０ａ  直径
２０ｂ  直径
２０ｃ  半径
２０ｄ  半径
２０ｅ  半径
２０ｆ  半径
２０ｇ  半径
２１    インナーブル部
２２    アウターブル部
２３    インナーシングル部
２４    トリプル部
２５    アウターシングル部
２６    ダブル部
２７    無得点部
２８    ダーツボード外周部
３０    ダーツボードサラウンド
３０ａ  内部直径
３０ｂ  幅
４０    ダーツボード
４１    インナーブル部
４２    アウターブル部
４３    インナーシングル部
４４    トリプル部
４５    アウターシングル部
４６    ダブル部
４７    無得点部
５０    ハードダーツボード
５０ａ  直径
５０ｂ  直径
５０ｃ  半径
５０ｄ  半径
５０ｅ  半径
５０ｆ  半径
５０ｇ  半径
５１    インナーブル部
５２    アウターブル部
５３    インナーシングル部
５４    トリプル部
５５    アウターシングル部
５６    ダブル部
５７    無得点部
５８    金属製スパイダーネット
５９    ハードダーツボード外周部
６０    ソフトダーツボード
６０ａ  直径
６０ｂ  直径
６０ｃ  半径
６０ｄ  半径
６０ｅ  半径
６０ｆ  半径
６１    インナーブル部
６２    アウターブル部
６３    インナーシングル部
６４    トリプル部
６５    アウターシングル部
６６    ダブル部
６７    無得点部
６８    樹脂製スパイダーネット
【図１】
2010220996.tif 000003
【図２】
2010220996.tif 000004
【図３】
2010220996.tif 000005
【図４】
2010220996.tif 000006
【図５】
2010220996.tif 000007
【図６】
2010220996.tif 000008